(57)【要約】      （修正有） 【課題】陸上での大規模な洪水や豪雪が予測されたとき、雲の中の莫大な量の水分を吸収して雨や雪や雹などの水を海上に落下させてしまうことで陸上での災害を防ぐ降水システムに用いる容器を提供する。【解決手段】吸水ポリマーの微粒子と水分を吸収して発熱する物質を容器に詰め、大量に散布する。氷晶Ａや雲粒Ｂからの水分を吸収した吸水ポリマーＣが大きく膨潤すると雲の中に浮遊できなくなって莫大な量の降水となって海上に落下する。【選択図】図１
0003199867.tif 000002
【実用新案登録請求の範囲】
【請求項１】
吸水性の大きな高分子（＝吸水ポリマー）の微粒子を雲の中に散布させると雲粒（非常
に微小な水滴、氷の結晶＝氷晶）の水分を吸収した吸水ポリマーが大きく膨張する。雲
粒の水分を吸収した吸水ポリマーは体積も質量も大きくなるので、雲として浮遊できな
くなり雨粒として落下していく降水をコントロールすることができるシステムである。  
【請求項２】
上空では低温なので雲の雲粒は主に氷晶として浮遊している。この氷晶を生石灰のよう
な水分を吸収して発熱する物質の微粉末を吸水ポリマーと併せて雲の雲粒（氷晶）の中
に散布させることで氷晶を融かした水分を吸水ポリマーが吸収して大きな粒子になる。
この雲粒（氷晶）の水分を吸着吸収した吸水ポリマーは体積も質量も大きくなるので、
雲として浮遊できなくなり雪や雹、雨粒として落下していく降水をコントロールすることができるシステムである。
【請求項３】
大規模な洪水や豪雪が予測される気象情報を受けた地方で、台風などの低気圧が上陸する以前の海上にあるうちに、巨大な雲の中の大量の水分である雲粒を吸水ポリマーに吸着吸収させるシステムを使うことで、海上に大量の降水を落下させることで大きな被害を防ぐことができる。
【請求項４】
吸水ポリマーの微粒子を上空の雲の中に散布する方法の一つとして、発熱剤と吸水ポリマーを詰めた袋状の容器に打ち上げ花火の丸薬部分にも吸水ポリマーの微粒子を詰めた花火を爆発させたときに吸水ポリマーの微粒子を雲の中に拡散散布して降水をコントロールすることができる。
【考案の詳細な説明】
【技術分野】
【０００１】
この考案の吸水性が大きな高分子（＝吸水ポリマー）による降水システムは雲を構成している雲粒の中に吸水ポリマーの微粒子を航空機などから散布させることで莫大な量の雲粒からの水分を吸収させた吸水ポリマーが膨潤することでその体積と質量が大きくなり、雲の中で浮遊することができずに降水として落下させることができる。自然の雲の中では雲を構成する雲粒は非常に小さな水滴で吸引力は非常に小さいため空気中に長く浮遊している。一方、吸水ポリマーは雲粒より大きな粒子で水分吸収力が大きいためより多くの雲粒を引きつけて大きな雨粒になる。落下中も雲粒の水分を吸着しながら自然の中の雨粒よりも大きく成長できるこのシステムの雨粒では大量の雲粒を吸収して莫大な量の降水として落下させることができる。上空の雲の中ではとても低温なので雲粒は氷晶として浮遊している。この雲の中に生石灰のような水分を吸収して発熱する物質の微粉末を散布することで氷晶を融解させ、一緒に散布させた吸水ポリマーの微粒子によって雲粒の水分を吸着吸収させると吸水ポリマーが大きく膨潤することで、その体積と質量が大きくなり、雲の中で浮遊することができずに降水として落下させることがコントロールできる。
【０００２】
大規模な洪水や豪雪が予測されるような気象情報を受けた地方で、台風などの低気圧が上陸する前の段階で、海上にあるうちに巨大な雲の中の莫大な量の水分である雲粒の中に吸水ポリマーの微粒子を大量に散布させることで雲粒から大量の水分を吸収させ膨潤した吸水ポリマーが大きくなり、雲の中で浮遊することができずに莫大な量の降水をコントロールして落下させることができる。海上に雨や雪などを大量に降らせてしまうことで陸上での洪水や豪雪による建造物の破壊や山崩れ、大きな雪崩などの大規模な災害を防ぎ、被害を小さくすることができる。
【０００３】
打ち上げ花火の形状で外側の丸薬（＝火薬） 部分に吸水ポリマーの微粒子を詰め込むことで花火が上空で爆発するときに立体的空間に吸水ポリマーの微粒子を雲の中に散布できる。丸薬部分の一部に吸水ポリマーの微粒子と併せて生石灰のような水分を吸収して発熱する物質の微粉末も詰めることで雲の中の氷晶を融解できるので吸水ポリマーの微粒子が雲の水分を吸収しやすくなる。花火の火薬が爆発するときにも熱を発生するので雲の中の温度上昇によって氷晶を融解することができるのでより吸水ポリマーの微粒子が雲の水分を吸収しやすくなる。
【背景技術】
【０００４】
雲の中に薬剤などを散布して降水を起こす仕組みはいろいろ研究されているが、吸水ポリマーのような作用を持つ降水技術はなかった。花火のような爆発による発熱を利用する降水作用についても例がなかった。洪水や豪雪などの自然災害に対して被害の大きさを想定して人的生命の確保を優先し、避難するだけの手段しかなかった。洪水や豪雪の規模を縮小することはできていなかった。
【考案の概要】
【考案が解決しようとする課題】
【０００５】
台風や大型の低気圧などによるよって引き起こされる洪水や豪雪による気象災害が繰り返されている。洪水や豪雪の規模を縮小させることで大きな災害を未然に防ぐ方法として本考案が有効である。この考案の降水システムは自然の雲の中では、雲を構成している非常に小さな水滴である雲粒は小さな吸引力しか持たないので空気中に長く浮遊しているが、その雲の中に吸水ポリマーの微粒子を散布させることで雲粒よりも大きな吸水ポリマーは吸引力が飛躍的に大きい上に雲粒の水分を吸収して膨潤することでさらに大きな吸引力で雲の中の雲粒を吸着できる。自然の中の雨粒よりも大きく成長できるこのシステムの雨粒では空気中に浮遊する大量の雲粒を吸収して莫大な量の降水として落下させることができる。
【課題を解決するための手段】
【０００６】
本考案は、台風などによる大規模な洪水や豪雪が予測されるような気象情報を受けた地方で低気圧が上陸する前の段階で、海上にあるうちに巨大な雲の中の莫大な量の水分である雲粒の中に吸水ポリマーを大量に散布させることで、雲粒から大量の水分を吸収した吸水ポリマーの体積と質量が大きくなり、雲の中で浮遊できなくなり莫大な量の降水として落下させることがコントロールできる。陸地への予想される水害に対して海上に雨や雪などを大量に降らせることで陸上での大規模な災害などを防ぐことができる。
【０００７】
上空の雲の氷晶を融解する生石灰のような水分を吸収して発熱する物質の微粉末と吸水性が大きい吸水ポリマーの微粒子を散布させることで雲粒の水分を吸収させた吸水ポリマーが大きく膨潤すると、より吸引力の大きな粒子として落下しながら雲粒の水分をどんどん吸着していくことで降水を起こさせることができる。台風や大規模な洪水や豪雪が予測されるような巨大積乱雲のような莫大な量の水分を含んだ雲の中の雲粒も吸水性が大きい吸水ポリマーを大量に散布することで雲粒の水分を吸着吸収して大きく膨潤した吸水ポリマーが莫大な量の降水や降雪を起こすことができる。
【０００８】
打ち上げ花火の形状で外側の丸薬部分に吸水ポリマーの微粒子を詰め込むことで花火が上空で爆発するときに立体的空間に吸水ポリマーの微粒子を雲の中に散布できる。丸薬の一部に吸水ポリマーと水分を吸収して発熱する物質の微粉末も詰めることで雲の中の氷晶を融解できるので吸水ポリマーの微粒子が雲の水分を吸収しやすくなる。花火の火薬が爆発するときに、より大きく熱を発生するので雲の中の温度上昇によって氷晶を融解できることで吸水ポリマーの微粒子が雲の水分を吸収しやすくなる。 
【考案の効果】
【０００９】
陸地への降水によって洪水や豪雪が予測される水害に対して、海上に雨や雪などを大量に降らせることで陸上での洪水や豪雪による建造物の破壊や山崩れ、大きな雪崩などを防ぐことができて、大規模な災害を防ぎ、被害を小さくすることができる。
【図面の簡単な説明】
【００１０】
【図１】本考案の吸水ポリマーによる雲粒の水分を吸収し膨潤するようすの模式図である。図１の中の矢印は粒子の移動の向きを示す。
【図２】吸水ポリマーの微粒子を詰めた打ち上げ花火の断面の模式図である。
【考案を実施するための形態】
【００１１】
気象情報から上空の目的の雲の中に莫大な水分を含んだ雲粒の位置と散布させるべき高度の位置確認をしながら、航空機などによって必要量の吸水ポリマーと発熱剤、打ち上げ花火を詰めた容器（袋など）を上空から目的の雲の中に降下させ散布することで海上に莫大な量の降水を起こさせる。
【実施例】
【００１２】
海上の雲の目的位置を確認して、吸水ポリマーと発熱剤、打ち上げ花火を詰めた容器（袋など）を航空機などから降下させて、目的の雲の中の位置で花火が爆発して吸水ポリマーを拡散散布できるようにすることで、莫大な量の雲粒の水分を大量の吸水ポリマーが吸着吸収して大規模な降水を海上に起こすことで、陸上での災害を防ぐことになる。
【符号の説明】
【００１３】
図１の符号について
A  は氷晶(凍った雲粒) 
B  は雲粒（非常に小さな水滴）
C  は吸水する前の発熱剤を伴う吸水ポリマーの分子
D  は発熱と吸水後の膨潤した吸水ポリマーの分子
【００１４】
図２の符号について
Eは外皮
Fは星（丸薬＝火薬）
Gは吸水ポリマーの微小粒子を詰めたもの
Hは隙間にも吸水ポリマーを詰めている    
Iは割火薬
J は内皮
Kは導火線
【図１】
0003199867.tif 000003
【図２】
0003199867.tif 000004
【手続補正書】
【提出日】平成27年4月21日(2015.4.21)
【手続補正１】
【補正対象書類名】実用新案登録請求の範囲
【補正対象項目名】全文
【補正方法】変更
【補正の内容】
【実用新案登録請求の範囲】
【請求項１】
吸水ポリマーの微粒子と水分を吸収して発熱する物質を詰めた容器。
【請求項２】
打ち上げ花火の形状に火薬としての丸薬以外に請求項１における発熱剤と吸水ポリ     マーを詰めた容器。
【請求項３】
請求項１の容器や請求項２の容器を雲の中の雲粒に散布させる降水システム。
【手続補正２】
【補正対象書類名】明細書
【補正対象項目名】００１３
【補正方法】変更
【補正の内容】
【００１３】
図１の符号について
Aは氷晶（凍った雲粒）
Bは雲粒（非常に小さな水滴）
Cは吸水する前の発熱剤を伴う吸水ポリマーの粒子
Dは発熱と吸水後の膨潤した吸水ポリマーの粒子
【手続補正書】
【提出日】平成27年6月3日(2015.6.3)
【手続補正１】
【補正対象書類名】実用新案登録請求の範囲
【補正対象項目名】全文
【補正方法】変更
【補正の内容】
【実用新案登録請求の範囲】
【請求項１】
吸水性の大きな高分子、いわゆる吸水ポリマーの微粒子と水分を吸収して発熱する物質   を組み合わせた構造をもつことで、雲の中の雲粒の水分を吸着しやすくさせて、雨粒として落下しやすくさせるものである。
【請求項２】
請求項１の物質を雲の中に拡散させやすくするための構造として、打ち上げ花火の形状に火薬としての丸薬以外に吸水ポリマーの微粒子と水分を吸収して発熱する物質を詰めた容器である。
【手続補正書】
【提出日】平成27年7月7日(2015.7.7)
【手続補正１】
【補正対象書類名】実用新案登録請求の範囲
【補正対象項目名】全文
【補正方法】変更
【補正の内容】
【実用新案登録請求の範囲】
【請求項１】
吸水ポリマーの微粒子と水分を吸収して発熱する物質を詰めた容器。
【請求項２】
吸水ポリマーの微粒子と水分を吸収して発熱する物質と火薬としての丸薬とを詰めた容器。